【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
遊技機を構成する複数種のユニット部品をネジによって互いに締結する構成とした遊技機であって、
前記ネジとして共通ネジが用いられており、
前記共通ネジによる前記複数種のユニット部品の締結部位では、前記共通ネジが捻じ込まれるネジ受側部材に形成される孔が、前記共通ネジが遊嵌状に貫通する通し孔と前記共通ネジが螺合されるネジ孔とによって構成されるとともに、前記ネジ孔の螺合部の長さは、前記通し孔の軸方向長さを調整することによって、前記締結部位に必要とされる締結強度に対応した長さに設定されていることを特徴とする遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明は、遊技機における複数種のユニット部品をネジによって締結する際のユニット部品の締結技術に関する。
【背景技術】
【０００２】
遊技機本体にユニット部品をネジによって締結する構成の遊技機の一例が特開昭６３−８９１７９号公報（特許文献１）に開示されている。この特許文献１には、パチンコ機において、遊技機本体の裏面に配置される、ユニット部品としての発射装置の取付構造が開示されている。発射装置は、遊技球を遊技盤の遊技領域に打ち出すものであり、操作ハンドルと、打球杆と、打球杆に連結した弾発用スプリングと、操作ハンドルの回動に伴い弾発用スプリングの弾発力を調節する弾発力調整機構と、操作ハンドルの回動に伴い打球杆を弾発動作させる電動式の発射モーター等から構成され、それらの各部材をセット板に対してそれぞれ組付けた後、当該セット板を遊技機本体にネジによって締結する構成としている。
なお上記特許文献１では、パチンコ機における発射装置の取付構造を示したものであるが、発射装置に限らず、例えば賞球払出装置や各種制御基板等のその他のユニット部品についても、遊技機本体を構成する本体枠あるいは機構盤等に対してそれぞれネジを用いて締結する形態が一般的である。
【０００３】
このようなことから、従来の遊技機では、各種のユニット部品を遊技機本体にネジによって締結する場合、あるいは複数部品をネジによって相互に締結することで当該ユニット部品を組み立てるような場合、締結すべき部位に要求される締結強度に応じて（締結部品の重量や大きさあるいは締結部品に掛かる力等に合わせて）複数種の既製品のネジを用意し、当該締結を行っている。しかしながら、従来の締結技術によると、締結部位に要求される締結強度に応じた複数種のネジを用意しなければならないといった煩わしさに加え、締結部位毎でネジの使い分けが必要になることから、締結作業が煩雑になるといった問題があった。
これを解決するために、使用するネジを統一すると、ネジの使い分けは不要になるものの、その反面、強度が不必要な部位でも螺合部分が大きくなり、一ヶ所あたりの締め付け時間が増大し、作業時間が長くなるとともに、螺合部に形成されるネジ山が変形するという新たな問題を誘起する虞がある。
【特許文献１】特開昭６３−８９１７９号公報
【発明の開示】
【発明が解決しようとする課題】
【０００４】
本発明は、かかる点に鑑みてなされたものであり、遊技機において、複数種のユニット部品の締結に用意されるネジの種類を可及的に低減する上で有効な技術を提供することを目的とする。
【課題を解決するための手段】
【０００５】
上記課題を達成するため、本発明の好ましい形態によれば、遊技機を構成する複数種のユニット部品をネジによって互いに締結した遊技機が構成される。遊技機としては、典型的には、パチンコ機やアレンジボール機等がこれに該当する。ここで、本発明における「ユニット部品」とは、遊技機を構成するに際して用いられる各種の部材、すなわち遊技機の構成部材をいう。典型的には、複数の部品を結合することでユニット化された部品、例えばパチンコ機の場合であれば、遊技球を遊技領域に打ち出すための発射装置や各種制御基板等がこれに該当するが、ユニット化された部品のみならず、ユニット化のために相互に結合される部品自体をも包含する概念である。従って、「複数種のユニット部品をネジによって締結する」態様としては、ユニット化された複数種のユニット部品をネジによって遊技機本体に締結して（組み付けて）遊技機を形成する態様、あるいは複数の部品同士をネジによって相互に締結して（組み付けて）遊技機のための１つのユニット部品を形成する態様等のいずれも好適に包含する。
【０００６】
また本発明においては、ネジとして共通ネジが用いられており、そして、共通ネジによる複数種のユニット部品の締結部位では、共通ネジが捻じ込まれるネジ受側部材の孔が、共通ネジが遊嵌状に貫通する通し孔と共通ネジが螺合されるネジ孔とによって構成されるとともに、ネジ孔の螺合部の長さは、通し孔の軸方向長さを調整することによって、当該締結部位に必要とされる締結強度に対応した長さに設定された構成とされる。なお本発明における「共通ネジ」とは、典型的には、ネジ山の形状、ネジの直径、ネジのピッチ、ネジの有効長さ等が全て等しく形成されたネジを指すものであるが、品質管理において通常設定される「公差」の範囲内でのばらつきについては、これを包含する。また締結に用いる「共通ネジ」としては、典型的には、当該共通ネジが捻じ込まれるネジ受側（雌側）部材の取付孔（丸孔）に対してタップを立てつつ（雌ネジを形成しつつ）捻じ込む、いわゆるタッピングスクリューを適用するが、当該タッピングスクリューに限らず、予め形成されたネジ孔に捻じ込まれる一般的な小ネジ等を好適に包含するものである。また「ネジ孔の螺合部の長さ」とは、共通ネジの雄ネジと噛み合っている軸方向長さをいい、換言すれば、ネジ山が形成されている軸方向長さをいう。また「通し孔の軸方向長さを調整する」態様としては、成形時に通し孔の長さを調整する態様、あるいは二次加工によって通し孔の長さを調整する態様のいずれも好適に包含する。また「締結部位に必要とされる締結強度」は、締結される部材に作用する荷重の大きさ、すなわち、締結されるユニット部品の重量の大きさ、ユニット部品が駆動装置を含んで構成される場合にあっては、重量のみならず駆動時に働く力等に応じて決定される。
本発明によれば、遊技機における複数種のユニット部品を締結する際に用意するネジの種類を低減することが可能となる。このため、ネジにより複数種のユニット部品を締結する際のネジの使い分け（選定）に伴う煩わしさが減少し、締結作業が簡易化される。またネジの管理も簡易化することができる。
また本発明によれば、締結部位毎で適正な螺合部の長さが設定されることに伴い、必要以上の螺合部長さを有することによるネジ締め時間の増大を回避することができる。これにより、締結作業を迅速化して作業効率を向上することが可能となる。特に、タッピングスクリューを用いる場合にあっては、締結時に当該タッピングスクリューが回転している時間が長ければ長いほど、つまり回転数が増えるほど、ネジ受部側にできるネジ山（タップ孔）が変形してしまうといった問題が生じ易いものであるが、本発明の如く、螺合部の長さが適正化されることで、締結時における当該タッピングスクリューの回転数が減少することから、ネジ孔のネジ山の変形を最小限に抑えることが可能となる。また、通し孔の軸方向長さを調整することによってネジ孔の螺合部の長さを変える構成であり、必要最低限の締結強度に対応する有効長さのネジ孔を容易に設定することができる。
【発明の効果】
【０００７】
本発明によれば、遊技機において、複数種のユニット部品の締結に用意されるネジの種類を可及的に低減する上で有効な技術が提供されることとなった。
【発明を実施するための最良の形態】
【０００８】
以下、本発明の実施の形態に係るパチンコ機１０１につき図面を参照しつつ詳細に説明する。図１および図２はそれぞれパチンコ機１０１の全体を示す斜視図である。なおパチンコ機１０１は、本発明における「遊技機」の一例である。図１では外枠１０３にヒンジ部品１０７を介して回動自在に装着された本体枠１０５が前方へ開放された状態が示されている。図２では外枠１０３に対し本体枠１０５が閉じられるとともに、当該本体枠１０５に対しヒンジ部品１０９を介して回動自在に装着されたガラス枠１１１、およびヒンジ部品１１３を介して回動自在に装着された前板１１５がそれぞれ前方へ開放された状態が示されている。なお図２に示すように、本体枠１０５には遊技盤１１７が装着されており、当該遊技盤１１７の前面には、後述する発射装置１４１によって打ち出された遊技用の球（以下、遊技球という）を遊技領域に誘導するレール１１７ａが設けられている。また図１に示すように、本体枠１０５の裏面には機構盤１１９が配置されている。そして上記の本体枠１０５、ガラス枠１１１、前板１１５、遊技盤１１７、機構盤１１９等によって遊技機本体が構成されている。
【０００９】
図３は本体枠１０５を背面側から見た斜視図であり、当該図３に示すように、本体枠１０５の背面下部領域には、発射装置１４１および発射装置制御用の発射制御基板１３３等が装着されている。また図４は機構盤１１９を正面側から見た斜視図であり、図５は当該機構盤１１９を背面側から見た斜視図である。図４および図５に示されるように、機構盤１１９には、島設備から供給される遊技球を収容する球タンク１２１、当該球タンク１２１の遊技球を賞球払出装置１２５に誘導するタンクレール１２３、および前板１１５の前面側に設けられた上皿（図示省略）に遊技球を賞球として払い出す賞球払出装置１２５等が取り付けられており、これらにより、いわゆる裏セットが構成されている。また機構盤１１９の中央開口部に取り付けられる遊技盤１１７の裏面側には、特に図示はしないが、パチンコ機１０１に装備される、表示装置、音声装置ないし発光装置を駆動制御するのに用いられるメイン制御基板やサブ制御基板装着されている。また機構盤１１９の裏面下部領域には、賞球払出装置制御用の払出制御基板１３１、電源基板１２７（図１参照）が装着されている。なお図５では、電源基板１２７の図示が省略され、当該電源基板１２７を取り付ける基板取付部１２９が示されている。
【００１０】
そして上記したパチンコ機１０１の構成部材のうち、外枠１０３に対して本体枠１０５を回動自在に支持すべく機能するヒンジ部品１０７は、当該本体枠１０５と外枠１０３にそれぞれネジによって締結される。また本体枠１０５に対してガラス枠１１１あるいは前板１１５を回動自在に支持すべく機能するヒンジ部品１０９あるいは１１３は、当該ガラス枠１１１、前板１１５、本体枠１０５にネジによって締結される。また遊技球の打ち出し機能を有する発射装置１４１は、本体枠１０５にネジによって締結される。また電源基板１２７や各種装置の制御機能を有する各種の制御基板１３１，１３３は、本体枠１０５あるいは機構盤１１９または遊技盤１１７にネジによって締結される。さらに球タンク１２１、タンクレール１２３、賞球払出装置１２５は、機構盤１１９にネジによって締結される。パチンコ機１０１の構成部材のうち、少なくとも上記したネジによって締結される各構成部材のそれぞれが本発明における「ユニット部品」に対応する。また当該「ユニット部品」それ自体が複数種の部品の組み合わせによって構成されている場合、その複数種の部品がネジによって相互に締結される構成であれば、それら複数種の部品は、それぞれが本発明における「ユニット部品」に対応する。
【００１１】
パチンコ機１０１には、多数の部品が用いられており、そして多くの場合、それらの各部品は、ネジを用いて組み立てられ、あるいは取り付けられている。このようなことからパチンコ機の組み立てにおいては、ネジの種類（例えば、ねじ山の形状、ネジの直径、ネジの有効長さ、ネジのピッチ等）が異なるものを多数用意し、それらを使い分けつつ締結作業を行うこととなる。このようなことから、ネジの種類を可及的に低減し、ネジの管理、あるいはネジ締め作業の簡便化を図りたいといった要求がある。
かかる要望に応えるべく、本実施の形態においては、ネジよって締結される「ユニット部品」に対応する構成部材のうち、比較的高い締結強度を要求される構成部材である発射装置１４１の締結に用いられるネジと同種のネジを用いて、当該発射装置１４１の締結強度よりも要求締結強度の小さい払出制御基板１３１の締結を行うように構成している。以下、このことについて説明する。
【００１２】
図６および図７は発射装置１４１を示す斜視図である。なお図７では発射モーター１４９からモーターカバー１５１が取り外された状態が示されている。発射装置１４１は、操作ハンドル１４３（図１および図２参照）と、打球杆１４５と、当該打球杆１４５に連結した弾発用スプリング（図示省略）と、操作ハンドル１４５の回動に伴い弾発用スプリングの弾発力を調節する弾発力調整機構１４７と、前記操作ハンドル１４３の回動に伴い打球杆１４５を弾発動作させる電動式の発射モーター１４９等を、主たる構成部材として構成されている。そして発射装置１４１は、操作ハンドル１４３を除いた各部材をセット板１５３にそれぞれ組付けた後、当該セット板１５３を本体枠１０５に対し複数箇所をタッピングスクリュー１５５によって締結することで当該本体枠１０５の裏面側に取り付ける構成とされている（図３参照）。なお発射装置１４１自体は、公知の装置であるゆえ詳細については説明を省略する。上記のタッピングスクリュー１５５が本発明における「共通ネジ」に対応する。
【００１３】
操作ハンドル１４３は、本体枠１０５の前面側に取り付けられるとともに、当該操作ハンドル１４３の軸が当該本体枠１０５に貫通状に形成された通し孔を貫通して裏面側に延出され、裏面側において弾発力調整機構１４７と連結されている。そして操作ハンドル１４３を回動操作したとき、当該操作ハンドル１４３の回動量の大きさに応じて弾発力が調整されるとともに、発射モーター１４９が駆動される構成とされる。なお発射モーター１４９が駆動されると、当該発射モーター１４９によって作動される図示省略のカム機構を介して打球杆１４５が所定速度で定期的に揺動されて遊技球を遊技盤１１７の遊技領域に打ち出す構成とされる。なお本実施の形態では、発射制御基板１３３がセット板１５３に対して発射装置１４１と横並びに装着されている。
【００１４】
図９は発射装置１４１が装着されたセット板１５３の本体枠１０５に対する取付構造を示す断面図であり、図８に示されたパチンコ機を裏面側から見た背面図におけるＡ部の断面を示している。図示のように、ネジ受側部材（雌ネジ側部材）となる本体枠１０５には、セット板１５３締結用として、裏面側に所定高さで突出する複数の取付ボス部１５７が一体に形成されており、当該取付ボス部１５７には、タッピングスクリュー１５５の捻じ込み（噛み込み）を可能とする内径の取付孔１５９が貫通状に形成されている。一方、セット板１５３には、タッピングスクリュー１５５が遊嵌状に挿通可能な大径の貫通孔１６１が形成されている。
タッピングスクリュー１５５は、十字孔あるいは六角孔が形成された頭部１５５ａと、軸方向の概ね全長にわたって雄ネジが形成された胴部１５５ｂとを備えた構成とされる。そして当該タッピングスクリュー１５５は、胴部１５５ｂに形成された雄ネジがセット板１５３の貫通孔１６１に遊嵌状に挿通され、本体枠１０５の取付ボス１５７の取付孔１５９に対してはネジ孔（タップ孔）を形成しつつ捻じ込まれることによってセット板１５３を本体枠１０５に締結している。なお本体枠１０５およびセット板１５３は、いずれも合成樹脂製である。
【００１５】
ところで、発射装置１４１および発射制御基板１３３が装着されたセット板１５３の複数箇所をそれぞれタッピングスクリュー１５５によって本体枠１０５に締結する際、セット板１５３の締結部に要求される締結強度は、締結される部材に作用する荷重の大きさ、すなわち、セット板１５３の自重に、当該セット板１５３に装着される発射装置１４１および発射制御基板１３３の重量を加えた「総重量」の大きさ、更には発射モーター１４９の駆動時に働く力等に応じて決定される。そして要求される締結強度を確保するために、雄ネジの所定の有効長さＬを有するタッピングスクリュー１５５が用意されるとともに、取付ボス１５７については、取付孔１５９に対するタッピングスクリュー１５５の胴部１５５ｂ（雄ネジ）の捻じ込み深さ（螺合長さ）、すなわちネジ孔の有効長さ（螺合部の長さ）Ｌ１が要求強度に対応した長さとなるように、当該取付ボス１５７の長さ（高さ）が設定されている。ここでタッピングスクリュー１５５の雄ネジの有効長さＬ、および取付ボス１５７のネジ孔の有効長さＬ１とは、ネジの始端から終端までの軸方向長さをいう。
【００１６】
図１０は払出制御基板１３１の機構盤１１９に対する取付構造を示す断面図であり、図８におけるＢ部の断面を示している。図示のように、ネジ受側部材（雌ネジ側部材）となる機構盤１１９には、払出制御基板１３１締結用として、裏面側に所定高さで突出する複数の取付ボス部１７１が一体に形成されており、当該取付ボス部１７１には、タッピングスクリュー１５５が遊嵌状に挿通可能な通し孔１７３と、タッピングスクリュー１５５の捻じ込み（噛み込み）を可能とする内径の取付孔１７５とが貫通状に形成されている。すなわち、取付ボス１７１には、径の異なる段付き孔が形成された構成とされる。一方、払出制御基板１３１、具体的には基板収容ケース１３５の周囲に形成された取付用フランジ部１３５ａに、タッピングスクリュー１５５が遊嵌状に挿通可能な大径の貫通孔１７７が形成されている。
【００１７】
タッピングスクリュー１５５は、取付用フランジ部１３１ａの貫通孔１７７および取付ボス部１７１の通し孔１７３に対しては遊嵌状に挿通され、当該取付ボス部１７１の取付孔１７５に対してはネジ孔（タップ孔）を形成しつつ捻じ込まれることによって払出制御基板１３１を機構盤１１９に締結している。なお払出制御基板１３１の締結に用いられるタッピングスクリュー１５５は、上述したセット板１５３の締結に用いられるタッピングスクリュー１５５と同種（同一）のタッピングスクリューである。なお機構盤１１９および基板収容ケース１３５は、いずれも合成樹脂製である。
【００１８】
ところで、払出制御基板１３１は、上述したセット板１５３に装着される発射装置１４１に比べて軽量物であることから、当該払出制御基板１３１の締結に要求される締結強度も小さい。本実施の形態では、払出制御基板１３１が締結される機構盤１１９の締結部につき、取付ボス１７１に、タッピングスクリュー１５５の雄ネジとの螺合長さを調整するために、当該タッピングスクリュー１５５の雄ネジが遊嵌状に挿通する通し孔１７３が軸方向に所定長さで形成され、これにより払出制御基板１３１が取り付けられる機構盤１９９の締結部に要求される締結強度を確保している。換言すれば、取付ボス１７１に通し孔１７３を設けることで、締結部の締結強度が要求強度を超えないように調整している。すなわち、締結部の締結強度が要求される強度となるように、雄ネジと取付孔１７５との螺合部の長さ、従ってネジ孔の有効長さＬ２が設定されている。このネジ孔の有効長さＬ２は、上述したセット板１５３の締結部に設定されるネジ孔の有効長さＬ１に比べて短い。
【００１９】
かくして、本実施の形態によれば、発射装置１４１の締結に用いるタッピングスクリュー１５５と同一種類のタッピングスクリュー１５５を用いて、当該発射装置１４１の締結部の締結強度よりも要求締結強度の小さい払出制御基板１３１の締結を合理的に行うことができる。
【００２０】
なお本実施の形態においては、要求される締結強度が異なる２箇所の締結部につき、要求される締結強度の大きい方の締結部に対応可能なサイズのタッピングスクリュー１５５を用いて、要求される締結強度が小さい方の締結部の締結を行う一例として、発射装置１４１の締結部と、払出制御基板１３１の締結部について説明しているが、当該締結技術の適用は、発射装置１４１の締結部と払出制御基板１３１の締結部とに止まらず、他の締結部に適用できるものである。例えば、発射装置１４１の締結部を基準とし、当該発射装置１４１の締結部に要求される締結強度に比べて、要求される締結強度が小さい締結部位、例えばセット板１５３に対する発射モーター１４９や発射制御基板１３３の締結部、あるいは遊技盤１１７に対するメイン制御基板やサブ制御基板、さらには機構盤１１９に対する球タンク１２１、タンクレール１２３、賞球払出装置１２５等の締結部等、多数箇所に適用することが可能である。またその場合、基準とすべき締結部位は、発射装置１４１の締結部に限られるものではなく、要求される締結強度が比較的大きい箇所、例えば遊技機本体の組み立において、本体枠１０５と外枠１０３との間に設けられるヒンジ部品１０７の当該本体枠１０５あるいは外枠１０３に対する締結部が好適である。
【００２１】
上記のように、本実施の形態によれば、パチンコ機１０１の組み立てにおいて、同一種類のタッピングスクリュー１５５を用いて締結強度が異なる複数の締結部位の締結を行う構成としたことにより、タッピングスクリュー１５５の共通化（統一化）が図られることになり、締結のために用意するタッピングスクリュー１５５の種類を低減することが可能となる。その結果、パチンコ機１０１を構成する各種のユニット部品を組み立ててパチンコ機１０１を製作する場合において、タッピングスクリューの種類が多いことに起因する締結作業の煩雑さが低減され、タッピングスクリュー１５５による締結作業の簡易化が図られることになる。また多種類に及ぶネジの管理も簡易化されることになる。
【００２２】
また本実施の形態では、要求される締結強度の小さい方の締結部、すなわち払出制御基板１３１を締結するための締結部につき、ネジ受側部材である機構盤１１９の取付ボス１７１にタッピングスクリュー１５５が遊嵌状に挿通する通し孔１７３を設定することによって、当該タッピングスクリュー１５５の取付ボス１７１に対する螺合長さ、すなわちタップ孔長さ（ネジ立て長さ）を減少する構成とされる。これにより、１箇所あたりのタッピングスクリュー１５５の締め付け時間を減少でき、行程あたりの作業時間を少なくできるとともに、取付ボス１７１に形成されるタップ孔の変形量を最小限に抑えることが可能となる。
【００２３】
なお上記した同一種類のタッピングスクリュー１５５を用いて締結強度が異なる複数の締結部位の締結を行う締結技術は、本体枠１０５や遊技盤１１７あるいは機構盤１１９等によって構成される遊技機本体に対して各種の部品を取り付ける場合として説明しているが、ユニット部品自体の締結（組み立て）、すなわち発射装置１４１、賞球払出装置１２５、あるいは電源基板１２７や各種の制御基板１３１，１３３の組み立てに適用できることは勿論である。
その場合、上記の締結技術は、遊技機本体に対するユニット部品の組み付け工程あるいは各種ユニット部品自体の製作工程の、それぞれの工程毎に適用する構成とすることが好ましい。すなわち、パチンコ機において、遊技機本体に発射装置１４１や賞球払出装置１２５等の各種ユニット部品を締結して（組み付けて）遊技機を製作する工程のほか、各種ユニット部品の製作工程、例えば発射装置１４１を構成する複数の部品を相互に締結して当該発射装置１４１を製作する工程、あるいは賞球払出装置１２５を構成する複数の部品を相互に締結して当該賞球払出装置１２５を製作する工程等の、それぞれの工程毎に、同一種類のタッピングスクリュー１５５（共通ネジ）を設定し、必要とされる締結強度が異なる複数の締結部位につき、当該共通ネジを用いて締結するように構成する。
かかる構成を採用すれば、製作工程毎で、タッピングスクリュー１５５の共通化（統一化）が図られることになり、締結のために用意するタッピングスクリュー１５５の種類を低減することが可能となる。
【００２４】
なお上述した実施の形態では、パチンコ機について説明したが、本発明はパチンコ機に限られるものではなく、例えばスロットマシン、アレンジボール機、パチンコ球を使用してスロット遊技を行う遊技機等、その他の遊技機であっても適用することが可能である。
【００２５】
さらに、本発明の趣旨により、下記に述べる各種の態様を構成することが可能である。
（態様１）
「請求項１に記載の遊技機であって、
前記共通ネジによる前記複数種のユニット部品の締結部位では、螺合されるネジ孔の螺合部の長さが、当該締結部位における必要な締結強度に合わせてそれぞれ設定されていることを特徴とする遊技機。」
【００２６】
態様１に記載の発明によれば、請求項１に記載の遊技機において、共通ネジによる複数種のユニット部品の締結部位では、螺合されるネジ孔の螺合部の長さが、当該締結部位における必要な締結強度に合わせてそれぞれ設定されている構成とされる。ここで、「ネジ孔の螺合部の長さ」とは、共通ネジの雄ネジと噛み合っている軸方向長さをいい、換言すれば、ネジ山が形成されている軸方向長さをいう。また「締結部位における必要な締結強度」は、締結される部材に作用する荷重の大きさ、すなわち、締結されるユニット部品の重量の大きさ、ユニット部品が駆動装置を含んで構成される場合にあっては、重量のみならず駆動時に働く力等に応じて決定される。
かかる構成を採用したときは、締結部位毎で適正な螺合部の長さが設定されることに伴い、必要以上の螺合部長さを有することによるネジ締め時間の増大を回避することができる。これにより、締結作業を迅速化して作業効率を向上することが可能となる。特に、タッピングスクリューを用いる場合にあっては、締結時に当該タッピングスクリューが回転している時間が長ければ長いほど、つまり回転数が増えるほど、ネジ受部側にできるネジ山（タップ孔）が変形してしまうといった問題が生じ易いものであるが、本発明の如く、螺合部の長さが適正化されることで、締結時における当該タッピングスクリューの回転数が減少することから、ネジ孔のネジ山の変形を最小限に抑えることが可能となる。
【００２７】
（態様２）
「請求項１または態様１に記載の遊技機であって、
前記締結部位に設定される前記ネジ孔の螺合部の長さは、前記共通ネジが遊嵌状に貫通する通し孔の軸方向長さを調整することによって、当該締結部位に必要とされる締結強度に対応した長さに設定されることを特徴とする遊技機。」
【００２８】
態様２に記載の発明によれば、請求項１または態様１に記載の遊技機における締結部位に設定されるネジ孔の螺合部の長さは、共通ネジが遊嵌状に貫通する通し孔の軸方向長さを調整することによって、当該締結部位に必要とされる締結強度に対応した長さに設定されている構成とされる。なお「通し孔の軸方向長さを調整する」態様としては、成形時に通し孔の長さを調整する態様、あるいは二次加工によって通し孔の長さを調整する態様のいずれも好適に包含する。
かかる構成を採用することで、当該ユニット部品の締結部位におけるネジ孔が形成される部材、すなわちネジ受側部材（ナット部材）に対し、必要最低限の締結強度に対応する（締結強度を保有する）有効長さのネジ孔を容易に設定することが可能となる。
【００２９】
（態様３）
「請求項１または態様２あるいは３に記載の遊技機であって、
前記共通ネジは、最も強度が必要とされる締結部位に対応する長さの螺合部を有することを特徴とする遊技機。」
【００３０】
態様３に記載の発明によれば、請求項１または態様１あるいは２に記載の遊技機における共通ネジは、最も強度が必要とされる締結部位に対応する長さの螺合部を有する構成とされる。遊技機がパチンコ機の場合であれば、「最も強度が必要とされる締結部位」としては、典型的には、遊技盤の遊技領域に向かって遊技球を打ち出すための発射装置を本体枠に締結する場合の締結部位、あるいは本体枠を外枠に開閉可能に取り付けるためのヒンジ部品を当該本体枠あるいは外枠に取り付ける場合の締結部位等がこれに該当する。
本発明によれば、最も強度が必要とされる締結部位を基準にして、共通ネジの螺合部長さを設定するので、当該共通ネジの適用範囲が効果的に拡大される。これにより、遊技機の製作に用いられるネジの種類を合理的に減少することができる。
【００３１】
（態様４）
「請求項１または態様１〜３のいずれかに記載の遊技機であって、
遊技機本体に複数種のユニット部品を締結して遊技機を製作する工程、あるいはユニット部品を構成する複数の部品を相互に締結して当該ユニット部品を製作する工程のそれぞれにおいて、複数の締結部位を共通ネジによって締結したことを特徴する遊技機。」
【００３２】
態様４に記載の発明によれば、請求項１または態様１〜３のいずれかに記載の遊技機において、遊技機本体に複数種のユニット部品を締結して遊技機を製作する工程、あるいはユニット部品を構成する複数の部品を相互に締結して当該ユニット部品を製作する工程のそれぞれにおいて、複数の締結部位を共通ネジによって締結した遊技機が構成される。かかる構成を採用することにより、工程毎において、締結のために用意するネジの種類を低減することが可能となる。その結果、締結作業時におけるネジの使い分け（選定）に伴う煩わしさが減少し、締結作業が簡易化されるとともに、ネジの管理も簡易化することができる。
【図面の簡単な説明】
【００３３】
【図１】パチンコ機の全体を示す斜視図であり、本体枠を開放した状態を示す。
【図２】パチンコ機の全体を示す斜視図であり、ガラス枠および前板を開放した状態を示す。
【図３】本体枠を背面側から見た斜視図である。
【図４】機構盤を正面側から見た斜視図である。
【図５】機構盤を背面側から見た斜視図である。
【図６】セット板に装着された発射装置および発射制御基板を背面側から見た斜視図である。
【図７】同じくセット板に装着された発射装置および発射制御基板を背面側から見た斜視図であり、モーターカバーが外された状態を示している。
【図８】パチンコ機の全体を示す背面図である。
【図９】図８におけるＡ部の断面図である。
【図１０】図８におけるＢ部の断面図である。
【符号の説明】
【００３４】
１０１ パチンコ機（遊技機）
１０３ 外枠
１０５ 本体枠
１０７ ヒンジ部品
１０９ ヒンジ部品
１１１ ガラス枠
１１３ ヒンジ部品
１１５ 前板
１１７ 遊技盤
１１７ａ レール
１１９ 機構盤
１２１ 球タンク
１２３ タンクレール
１２５ 賞球払出装置
１２７ 電源基板
１２９ 基板取付部
１３１ 払出制御基板（ユニット部品）
１３３ 発射制御基板
１３５ 基板収容ケース
１３５ａ 取付用フランジ部
１４１ 発射装置（ユニット部品）
１４３ 操作ハンドル
１４５ 打球杆
１４７ 弾発力調整機構
１４９ 発射モーター
１５１ モーターカバー
１５３ セット板
１５５ タッピングスクリュー（共通ネジ）
１５５ａ 頭部
１５５ｂ 胴部
１５７ 取付ボス（締結部）
１５９ 取付孔
１６１ 貫通孔
１７１ 取付ボス（締結部）
１７３ 通し孔
１７５ 取付孔
１７７ 貫通孔